(57)【要約】【課題】多少の振動や衝撃でも崩れ落ちることがない積み重ね容器を提供する。【解決手段】容器１００の頂面１０１には金属板１０４が、底面１０２には磁石１０５が設けられており、頂面１０１には、頂面の外縁を除く領域において、一定の高さの凸状部１０３が形成されている。金属板１０４は凸状部１０３に埋め込まれている。底面１０２の外縁には、弾性体からなる周壁１０６が形成されており、周壁１０６は、上段の容器の磁石１０５と下段の容器の金属板１０４とを重ねたときに、下段の容器の頂面１０１に当接する高さを有している。【選択図】図１
0003147852.tif 000002
【実用新案登録請求の範囲】
【請求項１】
相互に平行な頂面及び底面を有し、一の容器の頂面上に他の一の容器の底面を重ねることにより、上下方向に積み重ね可能な容器であって、
前記頂面には磁石及び金属板の何れか一方が、前記底面には他方が設けられており、
前記頂面には、前記頂面の外縁を除く領域において、一定の高さの凸状部が形成されており、
前記磁石及び金属板の何れか一方は前記凸状部上に配置されており、
前記頂面の前記外縁及び前記底面の外縁の何れか一方には、弾性体からなる周壁が形成されており、
前記周壁は、一の容器の磁石と他の一の容器の金属板とを重ねたときに、相手方の容器の頂面または底面に当接する高さを有するものである容器。
【請求項２】
前記磁石は前記凸状部または前記底面から突出するように形成されており、一の容器の磁石と他の一の容器の金属板とを重ねたときに、前記一の容器と前記他の一の容器との間には隙間が形成されることを特徴とする請求項１に記載の容器。
【請求項３】
前記周壁は前記底面の外縁に形成されており、
前記凸状部の表面に当接する平面部と、前記平面部の周囲に形成され、前記頂面の前記外縁に当接する下端を有する弾性体からなる周壁部と、前記平面部内に配置され、前記凸状部内に配置された前記磁石または前記金属板と磁力で引き合う金属板または磁石と、を有する蓋をさらに備えることを特徴する請求項１または２に記載の容器。
【考案の詳細な説明】
【技術分野】
【０００１】
本考案は、一の容器の頂面上に他の一の容器の底面を重ねることにより、上下方向に積み重ね可能な積み重ね容器に関する。
【背景技術】
【０００２】
このような積み重ね容器の一例として実開平７−４０４６４号公報の図６に記載されたものがある。
【０００３】
同公報に記載された積み重ね容器においては、容器の頂面（容器が蓋を有している場合には、蓋の頂面）と容器の底面とに板状の磁石が埋め込まれており、一の容器の上に他の一の容器を積み重ねることができるようにされている。
【考案の開示】
【考案が解決しようとする課題】
【０００４】
上記公報に記載された積み重ね容器は、小さな振動や衝撃が加わった場合であっても、上段の容器が崩れ落ちるという問題点を有していた。
【０００５】
また、上段の容器と下段の容器との間に微小な粒子が挟まると、双方の容器の間の密着力が低下し、崩れやすくなるという問題点をも有していた。例えば、塩や砂糖などの容器として使用する場合には、容器の頂面に塩や砂糖の粒子が残ることがあり、当該容器と当該容器の上に乗せる容器との間の密着力が低下することが多かった。
【０００６】
本考案は以上のような従来の積み重ね容器における問題点に鑑みてなされたものであり、多少の振動や衝撃でも崩れ落ちることがない積み重ね容器を提供することを目的とする。
【課題を解決するための手段】
【０００７】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【０００８】
上記の目的を達成するため、本考案は、相互に平行な頂面（１０１）及び底面（１０２）を有し、一の容器の頂面（１０１）上に他の一の容器の底面（１０２）を重ねることにより、上下方向に積み重ね可能な容器（１００）であって、前記頂面（１０１）には磁石（１０５）及び金属板（１０４）の何れか一方が、前記底面（１０２）には他方が設けられており、前記頂面（１０１）には、前記頂面（１０１）の外縁を除く領域において、一定の高さの凸状部（１０３）が形成されており、前記磁石（１０５）及び金属板（１０４）の何れか一方は前記凸状部（１０３）上に配置されており、前記頂面（１０１）の前記外縁及び前記底面（１０２）の外縁の何れか一方には、弾性体からなる周壁（１０６）が形成されており、前記周壁（１０６）は、一の容器の磁石（１０５）と他の一の容器の金属板（１０４）とを重ねたときに、相手方の容器の頂面（１０１）または底面（１０２）に当接する高さを有するものである容器（１００）を提供する。
【０００９】
前記磁石（１０５）は前記凸状部（１０３）または前記底面（１０２）から突出するように形成されており、一の容器の磁石（１０５）と他の一の容器の金属板（１０４）とを重ねたときに、前記一の容器と前記他の一の容器との間には隙間が形成されることが好ましい。
【００１０】
前記周壁（１０６）が前記底面（１０２）の外縁に形成される場合には、本考案に係る容器（１００）は、前記凸状部（１０３）の表面に当接する平面部（３１０）と、前記平面部（３１０）の周囲に形成され、前記頂面（１０１）の前記外縁に当接する下端を有する弾性体からなる周壁部（３２０）と、前記平面部（３１０）内に配置され、前記凸状部（１０３）内に配置された前記磁石（１０５）または前記金属板（１０４）と磁力で引き合う金属板（１０４）または磁石（１０５）と、を有する蓋（３００）をさらに備えることが好ましい。
【考案の効果】
【００１１】
第一の容器及び第二の容器の凸状部及び底面に金属板及び磁石がそれぞれ配置され、周壁は底面上に形成されている場合を想定し、かつ、第一の容器の上方に第二の容器を積み重ねる場合を想定すると、本考案に係る容器によれば、第二の容器の周壁が第一の容器の頂面に当接するため、積み重ねられた第一の容器及び第二の容器に対して振動や衝撃が印加された場合であっても、第二の容器の障壁がそれらの振動や衝撃の大部分を吸収し、第一の容器と第二の容器との間の密着力、具体的には、第一の容器の金属板と第二の容器の磁石との間の密着力の低下を防止する。
【００１２】
このため、従来の積み重ね容器であれば崩れ落ちたような振動や衝撃が第一の容器及び第二の容器に作用したとしても、上段の第二の容器が崩れ落ちることはない。すなわち、本考案に係る容器は従来の積み重ね容器よりも振動や衝撃に対して大きな耐性を有することが可能である。
【００１３】
さらに、本考案に係る容器においては、磁石は容器の底面から下方に突出して形成することが可能である。このため、一の容器の磁石と当該一の容器の下段の容器の金属板とを重ねたときに、一の容器の磁石の周囲には空間が形成される。すなわち、当該一の容器とその下段の容器との間には隙間が形成される。
【００１４】
前述のように、容器を塩や砂糖などの容器として使用する場合には、容器の頂面に塩や砂糖の粒子が残ることがあり、そのような場合に、容器の上段に他の容器を積み重ねると、当該容器と上段の容器との間に粒子が挟まり、双方の容器の間の密着力が低下し、崩れやすくなっていた。
【００１５】
これに対して、本考案に係る容器によれば、上段の容器と下段の容器との間には隙間が形成されるため、塩その他の粒子はこの隙間に収容されることになり、双方の容器の間の密着力の低下を防止することができ、ひいては、積み重ねられた容器が崩れやすくなることを防止することができる。
【考案を実施するための最良の形態】
【００１６】
（第一の実施形態）
図１（Ａ）は本考案の第一の実施形態に係る容器１００の斜視図、図１（Ｂ）は本考案の第一の実施形態に係る容器１００の縦断面図である。
【００１７】
本実施形態に係る容器１００は、一の容器の頂面上に他の一の容器の底面を重ねることにより、上下方向に積み重ね可能な容器である。
【００１８】
本実施形態に係る容器１００は円柱形状をなしており、上方が開口している容器本体１１０と、容器本体１１０に対して取り外し可能に螺合しているキャップ１２０と、から構成されている。
【００１９】
容器本体１１０は、例えば、ガラス製であり、キャップ１２０は、例えば、プラスチック製である。
【００２０】
容器本体１１０からキャップ１２０を取り外すことにより、容器本体１１０に内容物を入れることができる。容器本体１１０に内容物を入れた後は、容器本体１１０に対してキャップ１２０を螺合させる。
【００２１】
容器１００は相互に平行な円形の頂面１０１（すなわち、キャップ１２０の頂面）と円形の底面（すなわち、容器本体１１０の底面）１０２とを有している。
【００２２】
図１（Ａ）及び図１（Ｂ）に示すように、頂面１０１には一定の高さの凸状部１０３が形成されている。凸状部１０３は頂面１０１と同心に形成されており、全体として、円柱形状をなしている。
【００２３】
凸状部１０３の直径は頂面１０１の直径よりも小さく設定されている。すなわち、凸状部１０３は頂面１０１の外縁を除く領域において形成されている。
【００２４】
凸状部１０３の上面には円形の金属板１０４が凸状部１０３と同心になるように埋め込まれている。
【００２５】
図１（Ｂ）に示すように、容器１００の底面１０２には、底面１０２と同心になるように円柱形状の磁石１０５が固定的に取り付けられている。磁石１０５は底面１０２から下方に突出して取り付けられている。
【００２６】
また、容器１００の底面１０２には周壁１０６が形成されている。図１（Ｂ）に示すように、周壁１０６はＵ字型に近い断面形状を有している。周壁１０６は底面１０２の外周に沿ってリング状に形成されており、一定の高さを有している。
【００２７】
周壁１０６は弾性体からなる。例えば、周壁１０６はゴムまたはシリコーン樹脂からなる。
【００２８】
一の容器の磁石１０５をその下方に位置する他の一の容器の金属板１０４に重ねたときに、一の容器の周壁１０６は他の一の容器の頂面１０１に当接するような高さを有している。
【００２９】
図１（Ｂ）に示すように、凸状部１０３の頂面１０１からの高さをＨ１、磁石１０５の底面１０２からの高さをＨ２、周壁１０６の高さをＨ３とすると、各高さＨ１、Ｈ２及びＨ３の間には以下の関係式が成り立つ。
【００３０】
Ｈ３＝Ｈ１＋Ｈ２
【００３１】
以上のような構造を有する本実施形態に係る容器１００は次のように使用される。
【００３２】
第一の容器１００の上に第二の容器１００を乗せる場合を想定する。
【００３３】
第一の容器１００の上に第二の容器１００を乗せると、第一の容器１００の金属板１０４と第二の容器１００の磁石１０５とが磁力により相互に吸着する。
【００３４】
さらに、第二の容器１００の周壁１０６が第一の容器１００の頂面１０１の外縁（凸状部１０３の周囲の領域）に当接する。
【００３５】
このように、第二の容器１００の周壁１０６が第一の容器１００の頂面１０１に当接するため、積み重ねられた第一の容器１００及び第二の容器１００に対して振動や衝撃が印加された場合であっても、第二の容器１００の障壁１０６がそれらの振動や衝撃の大部分を吸収し、第一の容器１００と第二の容器１００との間の密着力、具体的には、第一の容器１００の金属板１０４と第二の容器１００の磁石１０５との間の密着力の低下を防止する。
【００３６】
このため、従来の積み重ね容器であれば崩れ落ちたような振動や衝撃が第一の容器１００及び第二の容器１００に作用したとしても、上段の第二の容器１００が崩れ落ちることはない。
【００３７】
このように、本実施形態に係る容器１００は従来の積み重ね容器よりも振動や衝撃に対して大きな耐性を有することが可能である。
【００３８】
さらに、本実施形態に係る容器１００においては、磁石１０５は容器１００の底面１０２から下方に突出して形成されている。このため、一の容器の磁石１０５と当該一の容器の下段の容器の金属板１０４とを重ねたときに、一の容器の磁石１０５の周囲には空間が形成される。すなわち、当該一の容器とその下段の容器との間には隙間が形成される。
【００３９】
前述のように、容器１００を塩や砂糖などの容器として使用する場合には、容器の頂面１０１に塩や砂糖の粒子が残ることがあり、そのような場合に、容器１００の上段に他の容器を積み重ねると、当該容器１００と上段の容器との間に粒子が挟まり、双方の容器の間の密着力が低下し、崩れやすくなっていた。
【００４０】
これに対して、本実施形態に係る容器１００によれば、上段の容器と下段の容器との間には隙間が形成されるため、塩その他の粒子はこの隙間に収容されることになり、双方の容器の間の密着力の低下を防止することができ、ひいては、積み重ねられた容器が崩れやすくなることを防止することができる。
【００４１】
なお、本実施形態に係る容器１００は上記の構造に限定されるものではなく、種々の改変が可能である。
【００４２】
本実施形態に係る容器１００は円柱形状をなすものとして構成されているが、容器１００の形状は円柱には限定されない。相互に平行な頂面１０１及び底面１０２を有するものである限りにおいて、角柱その他の任意の形状をとることが可能である。
【００４３】
また、凸状部１０３の形状も円柱形状には限定されない。周壁１０６が当接する頂面１０１の外縁が確保されるものである限りにおいて、凸状部１０３は任意の形状をとることができる。
【００４４】
本実施形態に係る容器１００においては、金属板１０４が凸状部１０３に配置され、磁石１０５は容器１００の底面１０２上に配置されているが、双方の配置を逆にすることも可能である。すなわち、凸状部１０３に磁石１０５を配置し、容器１００の底面１０２に金属板１０４を配置することも可能である。
【００４５】
（第二の実施形態）
図２（Ａ）は本考案の第二の実施形態に係る容器２００の斜視図、図２（Ｂ）は本考案の第二の実施形態に係る容器２００の縦断面図である。
【００４６】
第一の実施形態に係る容器１００においては、周壁１０６は容器１００の底面１０２上に形成されているに対して、本実施形態に係る容器２００においては、周壁１０６は容器１００の頂面１０１上に形成されている。この点を除いて、本実施形態に係る容器２００は第一の実施形態に係る容器１００と同一の構造を有している。このため、第一の実施形態に係る容器１００と同一の構成要素に対しては同一の参照符号を用い、詳細な説明は省略する。
【００４７】
本実施形態に係る容器２００においても、第一の実施形態に係る容器１００の場合と同様に、一の容器の金属板１０４をその上方に位置する他の一の容器の磁石１０５に重ねたときに、一の容器の周壁１０６は他の一の容器の底面１０２に当接するような高さを有している。
【００４８】
図２（Ｂ）に示すように、凸状部１０３の頂面１０１からの高さをＨ１、磁石１０５の底面１０２からの高さをＨ２、周壁１０６の高さをＨ３とすると、各高さＨ１、Ｈ２及びＨ３の間には以下の関係式が成り立つ。
【００４９】
Ｈ３＝Ｈ１＋Ｈ２
【００５０】
本実施形態に係る容器２００の使用方法は第一の実施形態に係る容器１００と同様であり、本実施形態に係る容器２００は第一の実施形態に係る容器１００と同様の効果を奏する。
【００５１】
（第三の実施形態）
図３（Ａ）は本考案の第一の実施形態に係る容器１００に対して使用される蓋３００の斜視図、図３（Ｂ）は蓋３００の縦断面図である。
【００５２】
図３（Ａ）及び図３（Ｂ）に示すように、蓋３００は、円形の平面部３１０と、平面部３１０の周囲に形成された周壁部３２０と、前記平面部３１０内に配置された磁石３３０と、から構成されている。
【００５３】
平面部３１０は凸状部１０３の表面に当接する。このため、平面部３１０は凸状部１０３と同一の平面形状に形成されている。
【００５４】
周壁部３２０は容器１００の頂面１０１の外縁（凸状部１０３の周囲のリング状の領域）に当接する。
【００５５】
図３（Ｂ）に示すように、周壁部３２０は逆Ｕ字型に近い断面を有しており、平面部３１０と連続している内壁３２１と、内壁３２１よりも外側に位置する外壁３２２と、内壁３２１と外壁３２２とをそれらの上端において接続する接続部３２３と、から構成されている。
【００５６】
図３（Ｂ）に示すように、内壁３２１よりも外壁３２２の方が下方に長く形成されている。具体的には、凸状部１０３の頂面１０１からの高さをＨ１とすると、外壁３２２は内壁３２１よりも下方にＨ１だけ長く形成されている。
【００５７】
磁石３３０は平面部３１０の中央に配置されており、平面部３１０を凸状部１０３の表面上に重ねたときに、凸状部１０３に埋め込まれている金属板１０４と重なるようになっている。
【００５８】
以上のような構造を有する本実施形態における蓋３００は次のようにして使用される。
【００５９】
蓋３００の平面部３１０を容器１００の凸状部１０３上に乗せる。これにより、蓋３００の平面部３１０に配置されている磁石３３０が凸状部１０３に埋め込まれている金属板１０４と磁力により吸着する。
【００６０】
周壁部３２０の外壁３２２は内壁３２１よりも下方にＨ１だけ長く形成されているため、平面部３１０を凸状部１０３の表面上に乗せると、外壁３２２の下端は容器１００の頂面１０１に当接する。
【００６１】
例えば、容器１００を塩、砂糖その他の調味料などの容器として使用する場合、頂面１０１には調味料を容器１００の中から出すための多数の孔が形成される。蓋３００を使用することにより、これらの孔を塞ぐことができ、容器１００の内部への異物の侵入防止、容器１００の中の調味料が湿気を吸収することの防止を図ることができる。
【図面の簡単な説明】
【００６２】
【図１】図１（Ａ）は本考案の第一の実施形態に係る容器の斜視図、図１（Ｂ）は本考案の第一の実施形態に係る容器の縦断面図である。
【図２】図２（Ａ）は本考案の第二の実施形態に係る容器の斜視図、図２（Ｂ）は本考案の第二の実施形態に係る容器の縦断面図である。
【図３】図３（Ａ）は本考案の第一の実施形態に係る容器に対して使用される蓋の斜視図、図３（Ｂ）は蓋の縦断面図である。
【符号の説明】
【００６３】
１００  本考案の第一の実施形態に係る容器
１０１  頂面
１０２  底面
１０３  凸状部
１０４  金属板
１０５  磁石
１０６  周壁
１１０  容器本体
１２０  キャップ
２００  本考案の第二の実施形態に係る容器
２０６  周壁
３００  蓋
３１０  平面部
３２０  周壁部
３２１  内壁
３２２  外壁
３２３  接続部
３３０  磁石
【図１】
0003147852.tif 000003
【図２】
0003147852.tif 000004
【図３】
0003147852.tif 000005